(57)【要約】【課題】  外観が一般的なシューズの靴底と変わり無く、従来のトーニング用シューズ靴底のよりも耐久性に優れ、歩行の時において一般的なシューズよりも筋放電量が増加することでトーニング効果を持つトーニング用シューズ靴底を提供する。【解決手段】  上層ミッドソールは踵位置から踏付位置にかけて均等な厚みを持ち、踏付位置から爪先位置にかけて次第に厚みが薄くなっており、下層ミッドソールは踵位置から靴底長に対して３０％前方位置までの厚みが１５〜２０ｍｍであり踏付位置にかけて次第に厚みが薄くなった構成であって前記ミッドソールの硬さが上層ミッドソールよりも下層ミッドソールの方が低くなっており、アウトソール爪先部と踵部が靴甲被まで巻き上がっており、上層、下層ミッドソール側面がアウトソールによって爪先部分と踵部分のみ覆われていることで脚の筋放電量が一般的なシューズと比較して増加し、耐久性に優れたトーニング用シューズ靴底。【選択図】    図１
2013138805.tif 000002
【特許請求の範囲】
【請求項１】
ＪＩＳ  Ｋ  ６２５３に準拠したタイプＥデュロメータ硬さ試験にて測定した硬さの異なる二層のミッドソールを用いた靴底において、上層ミッドソールは踵位置から踏付位置にかけて均等な厚みを持ち、踏付位置から爪先位置にかけて次第に厚みが薄くなっており、下層ミッドソールは踵位置から靴底長に対して３０％前方位置までの厚みが１５〜２０ｍｍであり踏付位置にかけて次第に厚みが薄くなった構成であって前記ミッドソールの硬さが上層ミッドソールよりも下層ミッドソールの方が低くなっており、アウトソール爪先部と踵部が靴甲被まで巻き上がっており、上層、下層ミッドソール側面がアウトソールによって爪先部分と踵部分のみ覆われている事を特徴とするトーニング用シューズ靴底。
【請求項２】
請求項１記載の靴底において上層ミッドソールの硬さが５５〜６５で下層ミッドソールの硬さが３５〜４５である事を特徴としたトーニング用シューズ靴底。
【発明の詳細な説明】
【技術分野】
【０００１】
本発明は、一般的なシューズと比べて外観はなんら変わりは無いが、通常歩行において一般的なシューズと比べて脚の筋放電量が多くなる構造のトーニング用シューズ靴底に関するものである。
【背景技術】
【０００２】
近年、メタボリックシンドロームの言葉が多く聞かれるようになり、生活習慣病の改善を目的としてウォーキングやジョギング、水泳等の有酸素運動を行う事が必要である事を多くの方々が認識されるようになってきている。しかし、普段の生活の中で体を動かす機会があまり無く、運動不足になっているという人が多く、そのため通勤や通学、買い物などの日常的な行為が、そのまま運動に結び付くようなシューズが求められており、さまざまなタイプのトーニング用シューズが提案されている。
【０００３】
これらのトーニング用シューズの多くは、シューズの踵部分を無くして脚に負荷を与えて運動効果を上げるタイプの物や、靴底を特殊な形状にする事によりバランスを保とうとする事でエクササイズ効果を高めるタイプの物などさまざまであるが、いずれにおいても通常歩行と異なる動作によって脚に負荷をかけることで効果をもたらすものばかりで、歩行時の際の着地による衝撃を緩和出来ずに足を痛めてしまう恐れがあった。
【０００４】
また、シューズの外観においても靴底の形状が特異であるため一目でトーニング用シューズと分ってしまい人目を気にする人は抵抗感があり使用をためらう場合があったり、靴底構造が空気室や衝撃吸収のための構造を必要とすることで複雑な作業工程や部品を多く必要とするため、トーニング用シューズとしては高価な商品となっていた。
【０００５】
特開２００６−２０４７１２号では、土踏まず周辺を下側から支持するための土踏まず支持部よりも硬さの低い爪先周辺を下側から支持するための爪先支持部と、踵周辺を下側から支持するための踵支持部とで構成した靴底によって、着用者の筋力を鍛えながらも関節にかかる負担を軽減することが開示されている。
【０００６】
しかし前記構造であると、硬さの異なる土踏まず支持部と爪先支持部、土踏まず支持部と踵支持部それぞれの接合部分には歩行の際にかかる力が集中して、継続して使用していくにつれて硬さの低いパーツが破損してしまう恐れがあった。
【先行技術文献】
【特許文献】
【０００７】
【特許文献１】特開２００６−２０４７１２号公報
【発明の概要】
【発明が解決しようとする課題】
【０００８】
本発明は、このような前記従来の問題点を解決しようとするものであって、一般的なシューズの靴底と比べて脚の筋放電量が大きくなることでトーニング効果をもたらす靴底であって、その耐久性も維持出来るトーニング用シューズ靴底を提供することを課題とする。
【課題を解決するための手段】
【０００９】
ＪＩＳ  Ｋ  ６２５３に準拠したタイプＥデュロメータ硬さ試験にて測定した硬さの異なる二層のミッドソールを用いた靴底において、上層ミッドソールは踵位置から踏付位置にかけて均等な厚みを持ち、踏付位置から爪先位置にかけて次第に厚みが薄くなっており、下層ミッドソールは踵位置から靴底長に対して３０％前方位置までの厚みが１５〜２０ｍｍであり踏付位置にかけて次第に厚みが薄くなった構成であって、前記ミッドソールの硬さが上層ミッドソールよりも下層ミッドソールの方が低くなっており、アウトソール爪先部と踵部が靴甲被まで巻き上がっており、上層、下層ミッドソール側面がアウトソールによって爪先部分と踵部分のみ覆われている事を特徴とするトーニング用シューズ靴底。
【００１０】
前記記載の靴底において上層ミッドソールの硬さが５５〜６５で下層ミッドソールの硬さが３５〜４５である事を特徴としたトーニング用シューズ靴底。
【００１１】
本発明のトーニング用シューズ靴底の上層ミッドソールは踵位置から踏付位置にかけて均等な厚みを持ち、踏付位置から爪先位置にかけて次第に厚みが薄くなっており、一般的なシューズのミッドソールと同様な構造をして一般的なシューズと同じ通常歩行が行い易い構造になっている。
【００１２】
本発明のトーニング用シューズ靴底の下層ミッドソールは踵位置から靴底長に対して３０％前方位置までの厚みが１５〜２０ｍｍであり、踏付位置にかけて次第に厚みが薄くなった構成であってＪＩＳ  Ｋ  ６２５３に準拠したタイプＥデュロメータ硬さ試験にて測定した硬さが上層ミッドソールよりも下層ミッドソールの方が低くなっていることが好ましい。その理由としては下層ミッドソールの厚みが１５ｍｍ以下であると着地時のかかとの沈み込みが小さくなることで歩行する際の筋放電量が少なくなってしまいトーニング効果が少なくなる。また下層ミッドソールの厚みが２０ｍｍ以上であると歩行の際のバランスが悪くなり通常歩行が行えなくなることや、外観も一般的なシューズとは異った特殊なシューズに見えてしまうので好ましくない。外観が一般的なシューズと変わらないように下層ミッドソールの厚みが踵位置から靴底長に対して３０％前方位置より踏付位置にかけて次第に厚みが薄くなる構造となっている。
【００１３】
一般的なシューズは足の着地の際、踵で衝撃を緩和して小指の付け根に向けて重心が移動し、横アーチを伝って親指の付け根に移動して土踏まずのアーチを利用して親指を蹴り出す動作を効率よく一連に繰り返すことがし易い構造となっている。
本発明の靴底を利用したシューズにおいても一般的な靴底を用いたシューズと同様の重心移動が行える構造となっている。下層ミッドソールは踵位置から靴底長に対して３０％前方位置までの厚みが１５〜２０ｍｍであり踏付位置にかけて次第に厚みが薄くなった構成であってＪＩＳ  Ｋ  ６２５３に準拠したタイプＥデュロメータ硬さ試験にて測定した硬さが上層ミッドソールよりも下層ミッドソールの方が低くなっているため、足の着地の際、一般的なシューズに比べて大きく緩和され前に進もうとするエネルギーが弱まることでスムーズに重心が前方へ移動ができなくなり、新たに足を前に出す動作を起こすエネルギーが必要となるため脚の各部位の筋力に負担が多くかかるが、それ以降は一般的なシューズと同様に小指の付け根に向けて重心が移動し、横アーチを伝って親指の付け根に移動して土踏まずのアーチを利用して親指を蹴り出す動作が行える構造となっている。
【００１４】
また、一般的なシューズの上層ミッドソール及び下層ミッドソールの硬さは、歩行着地時の足のグラツキが起こらず、衝撃を緩和してくれる硬さ５５〜６５の範囲で設計されることが多い。それに対して、本発明のトーニング用シューズ靴底の上層ミッドソールは、一般シューズと同じ硬さ５５〜６５の範囲で良いが、下層ミッドソールの硬さを３５〜４５とすることで、歩行の際の脚の筋放電量の増加が可能となる。上層ミッドソールの硬さが５５以下であれば先に述べたように歩行の際の安定感が悪く足をひねったりすることで怪我の要因となり易い。上層ミッドソールの硬さが６５以上であれば歩行の際の足にかかる衝撃が大きくなり同様に足を痛める要因となる。下層ミッドソールにおいては、硬さが３５以下であれば歩行の際、繰り返し圧縮される事で、下層ミッドソールがヘタってしまい元の厚みに復元しなくなり筋放電量の増加が見込めなくなったり、耐久性が劣る事で下層ミッドソールの破損の要因となってしまう。また、下層ミッドソールの硬さが４５以上となると一般的なシューズの硬さに近くなることから筋放電量の増加が見込めなくなってしまう。
【００１５】
本発明のトーニング用シューズ靴底はアウトソール爪先部と踵部が靴甲被まで巻き上がっており、上層、下層ミッドソール側面がアウトソールによって爪先部と踵部分のみ覆われているのでミッドソール部分でもっとも力が掛かって破損し易い爪先部と踵部がアウトソールによって覆われているためミッドソールに直接力が加わる事を防ぎ、耐久性が良くなる。また、歩行着地の際、下層ミッドソールのＪＩＳ  Ｋ  ６２５３に準拠したタイプＥデュロメータ硬さ試験にて測定した硬さが３５〜４５と低いため体重の負荷によって大きく圧縮され変形を起こすがアウトソールで踵部を被っているためその圧縮量も緩和され適度な圧縮により歩行の際の妨げにはならない構造となっている。
【００１６】
ＪＩＳ  Ｋ  ６２５３に準拠したタイプＥデュロメータ硬さ試験にて測定した硬さの異なる二層のミッドソールを用いた靴底において、上層ミッドソールは踵位置から踏付位置にかけて均等な厚みを持ち、踏付位置から爪先位置にかけて次第に厚みが薄くなっており、下層ミッドソールは踵位置から靴底長に対して３０％前方位置までの厚みが１５〜２０ｍｍであり踏付位置にかけて次第に厚みが薄くなった構成であって前記ミッドソールの硬さが上層ミッドソールよりも下層ミッドソールの方が低くなっており、アウトソール爪先部と踵部が靴甲被まで巻き上がっており、上層、下層ミッドソール側面がアウトソールによって爪先部分と踵部分のみ覆われている一般的なシューズと同じ構造なので、他のトーニングシューズと比べ靴底構造が簡単なことより安価で製造が出来る。
なお、本発明に記載された硬さの値は、すべてＪＩＳ  Ｋ  ６２５３に準拠したタイプＥデュロメータ硬さ試験にて測定した数値である。
【図面の簡単な説明】
【００１７】
【図１】シューズ側面図
【図２】靴底側面図
【図３】対象筋図
【図４】筋電図積分値図
【実施例】
【００１８】
上層ミッドソールは踵位置から踏付位置にかけて７ｍｍの均等な厚みを持ち、踏付位置から爪先位置にかけて次第に厚みが薄くなっており、下層ミッドソールは踵位置から靴底長に対して３０％前方位置までの厚みが１５ｍｍであり踏付位置にかけて次第に厚みが薄くなった構成であって、上層ミッドソールはＪＩＳ  Ｋ  ６２５３に準拠したタイプＥデュロメータ硬さ試験にて測定した硬さが６０、下層ミッドソールの硬さは４０と低くなっており、アウトソール爪先部と踵部が靴甲被まで巻き上がっており、上層、下層ミッドソール側面がアウトソールによって爪先部と踵部分のみ覆われている靴底を装着したトーニング用シューズ（トーニング）を作成した。
【００１９】
上層ミッドソールは踵位置から踏付位置にかけて７ｍｍの均等な厚みを持ち、踏付位置から爪先位置にかけて次第に厚みが薄くなっており、下層ミッドソールは踵位置から靴底長に対して３０％前方位置までの厚みが１５ｍｍであり踏付位置にかけて次第に厚みが薄くなった構成であって、上層ミッドソールはＪＩＳ  Ｋ  ６２５３に準拠したタイプＥデュロメータ硬さ試験にて測定した硬さが６０、下層ミッドソールの硬さは６０と同じ硬さで、アウトソール爪先部と踵部が靴甲被まで巻き上がっており、上層、下層ミッドソール側面がアウトソールによって爪先部と踵部分のみ覆われている靴底を装着した一般用シューズ（ブランク）を作成した。
【００２０】
前記作成のトーニング用シューズ（トーニング）と一般用シューズ（ブランク）を女性９名の被験者がそれぞれ履いて歩行した時の右脚のハムストリングス（ハム）、右脚の外側広筋（広筋）の筋電図測定を行いトーニング効果を検証した。
【００２１】
筋電図は筋腹を触診にて特定し、アルコールで皮膚表面の脱脂を行った後に筋表面に電極を貼り付けた。各シューズを履いて歩行し筋電図を測定した。分析は立脚期（接地から離地まで）の筋電図を分析した。筋負担の評価として、筋電図の積分値の算出を行った後、立脚期の時間で割ることで立脚期平均振幅とした（数１）。２０サイクルを抽出しその平均値を各条件間で比較した。有意差検定には対応のあるＴ検定を用い、有意水準５％を有意差ありとした。
【００２２】
【数１】
2013138805.tif 000003
【００２３】
表１に各被験者の筋電図結果を示し、図４に立脚期の筋電図の比較を記す。筋電図積分値は１サイクルを通しての筋負担の程度を示し、値が大きいほど筋負担が大きい。トーニングはブランク条件よりも高い値を示し、ハムストリングス（ハム）と外側広筋（広筋）にて有意差が認められた。
【００２４】
【表１】
2013138805.tif 000004
【符号の説明】
【００２５】
１．靴甲被
２．アウトソール
３．上層ミッドソール
４．下層ミッドソール
５．踵位置
６．踏付位置
７．爪先位置
８．爪先部
９．踵部
【図３】
2013138805.tif 000005
【図１】
2013138805.tif 000006
【図２】
2013138805.tif 000007
【図４】
2013138805.tif 000008